(57)【要約】【課題】基準位置にあるサポート部材で上部側面を支持することのできる容器径の種類を増やす。【解決手段】容器が挿入される収納部１を有するホルダ本体３と、第１回動軸心Ｃ１回りに収納部１内で回動可能となるように基端部がホルダ本体３に軸支され、第１支持部を先端側に有する第１サポート部材１３と、第１支持部が収納部１内に所定量突出した基準位置まで、第１サポート部材１３を収納部１内に突出する方向に上方へ回動付勢する第１付勢部材と、第１回動軸心Ｃ１とは異なる位置に配置された第２回動軸心Ｃ２回りに収納部１内で回動可能となるように基端部がホルダ本体３に軸支され、第２支持部を先端側に有する第２サポート部材１７と、第２支持部が収納部１内に所定量突出した基準位置まで、第２サポート部材１７を収納部１内に突出する方向に上方へ回動付勢する第２付勢部材とを備えている。【選択図】図３
2007145179.tif 000002
【特許請求の範囲】
【請求項１】
容器が挿入される収納部を有するホルダ本体と、
第１回動軸心回りに前記収納部内で回動可能となるように基端部が前記ホルダ本体に軸支され、第１支持部を先端側に有する第１サポート部材と、
前記第１支持部が前記収納部内に所定量突出した基準位置まで、前記第１サポート部材を該収納部内に突出する方向に上方へ回動付勢する第１付勢部材と、
前記第１回動軸心とは異なる位置に配置された第２回動軸心回りに前記収納部内で回動可能となるように基端部が前記ホルダ本体に軸支され、第２支持部を先端側に有する第２サポート部材と、
前記第２支持部が前記収納部内に所定量突出した基準位置まで、前記第２サポート部材を該収納部内に突出する方向に上方へ回動付勢する第２付勢部材とを備え、少なくとも、小径容器、該小径容器の径よりも大きな径の中径容器及び該中径容器の径よりも大きな径の大径容器を保持可能なように構成されていることを特徴とするカップホルダ。
【請求項２】
前記小径容器を保持するときは、前記基準位置に在る前記第１サポート部材の前記第１支持部と、前記基準位置に在る前記第２サポート部材の前記第２支持部と、前記収納部の内壁面とで、該収納部に挿入された該小径容器の側面上部を支持し、
前記中径容器を保持するときは、前記基準位置に在る前記第１サポート部材の前記第１支持部と、前記収納部の内壁面とで、該収納部に挿入された該中径容器の側面上部を支持するとともに、該収納部への該中径容器の挿入動作に伴って該中径容器で押圧されて前記基準位置から下方へ回動した状態に在る前記第２サポート部材で、該収納部に挿入された該中径容器の側面下部を支持し、かつ、
前記大径容器を保持するときは、前記基準位置に在る前記第２サポート部材の前記第２支持部と、前記収納部の内壁面とで、該収納部に挿入された該大径容器の側面上部を支持するとともに、該収納部への該大径容器の挿入動作に伴って該大径容器で押圧されて前記基準位置から下方へ回動した状態に在る前記第１サポート部材で、該収納部に挿入された該大径容器の側面下部を支持するように構成されていることを特徴とする請求項１記載のカップホルダ。
【請求項３】
前記中径容器を保持するときは、前記基準位置に在る前記第１サポート部材の前記第１支持部と、前記収納部の内壁面の異なる２カ所とで、該収納部に挿入された該中径容器の側面上部を支持し、かつ、
前記大径容器を保持するときは、前記基準位置に在る前記第２サポート部材の前記第２支持部と、前記収納部の内壁面の異なる２カ所とで、該収納部に挿入された該大径容器の側面上部を支持するように構成されていることを特徴とする請求項１又は２記載のカップホルダ。
【請求項４】
前記大径容器の径よりも大きな径の特大容器をさらに保持可能なカップホルダであって、
前記特大容器を保持するときは、前記収納部の内壁面で、該収納部に挿入された該特大容器の側面上部を支持するとともに、該収納部への該特大容器の挿入動作に伴って該特大容器で押圧されて前記基準位置から下方へ回動した状態に在る、前記第１サポート部材及び前記第２サポート部材の両部材で、該収納部に挿入された該特大容器の側面下部を支持するように構成されていることを特徴とする請求項１、２又は３記載のカップホルダ。
【請求項５】
前記収納部に挿入された状態に在る前記特大容器の外周面上の一の仮想円を想定した場合において、前記第１回動軸心及び前記第２回動軸心はそれぞれが該仮想円の接線方向に沿って延びるように周方向に所定間隔をおいて配置されていることを特徴とする請求項１、２、３又は４記載のカップホルダ。
【請求項６】
前記第１支持部は、前記中径容器の側面形状に略対応した円弧状の第１支持内端面を有し、
前記第２支持部は、前記大径容器の側面形状に略対応した円弧状の第２支持内端面を有していることを特徴とする請求項１、２、３、４又は５記載のカップホルダ。
【発明の詳細な説明】
【技術分野】
【０００１】
本発明は、自動車室内などに設けられるカップホルダに関し、詳しくは径の異なる容器をそれぞれ安定して保持できるカップホルダに関する。
【背景技術】
【０００２】
自動車内で飲料容器を安定して保持するために、カップホルダが広く用いられている。しかし飲料容器は大きさが様々であり、それらを安定して保持するために各種の工夫がなされている。
【０００３】
例えば、容器が挿入される収納部を有するホルダ本体と、このホルダ本体に取り付けられ収納部内に突出する方向に回動付勢された第１、第２サポート部材とを備えたカップホルダが知られている（例えば、特許文献１参照）。
【０００４】
このカップホルダでは、第１、第２サポート部材が、それぞれ共通の回動軸心回りに回動可能とされるとともに、収納部内に所定量突出する基準位置まで付勢部材により上方へ回動付勢されており、かつ、それぞれ前端に容器の側面を接触保持可能な保持面を有している。そして、第２サポート部材は第１サポート部材よりも長さが長く、両サポート部材が前記基準位置に在る状態において、第２サポート部材の保持面は、第１サポート部材の保持面よりも、回動軸心からの距離が遠くなっている。
【０００５】
このカップホルダによれば、例えば２５０ｍｌ容量の容器を保持するときは、前記基準位置にある第２サポート部材の保持面と収納部の内壁面とで該容器の側面上部を支持する。また、例えば３５０ｍｌの容器を保持するときは、前記基準位置にある第１サポート部材の保持面と収納部の内壁面とで該容器の側面上部を支持するとともに、該容器の収納部への挿入に伴って該容器で押圧されて下方へ回動した第２サポート部材で該容器の側面下部を支持する。さらに、例えば５００ｍｌの容器を保持するときは、収納部の内壁面で該容器の側面上部を支持するとともに、該容器の収納部への挿入に伴って該容器で押圧されて下方へ回動した第１サポート部材及び第２サポート部材で該容器の側面下部を支持する。
【特許文献１】特許３２８３００９号公報
【発明の開示】
【発明が解決しようとする課題】
【０００６】
ところで、収納部に挿入された容器をサポート部材により安定に保持するためには、容器側面のなるべく高い位置をサポート部材で支持することが望ましい。
【０００７】
しかし、第１、第２サポート部材が共通の回動軸心周りに回動可能とされた上記従来のカップホルダにおいて、容器側面のなるべく高い位置、すなわち容器の側面上部をサポート部材で支持することができる容器の種類は、前記基準位置に在る第２サポート部材で側面上部を支持することができる例えば２５０ｍｌ容量の容器径のものと、前記基準位置に在る第１サポート部材で側面上部を支持することができる例えば３５０ｍｌ容量の容器径のものとの２種類だけである。
【０００８】
本発明は上記実情に鑑みてなされたものであり、基準位置にあるサポート部材で側面上部を支持することのできる容器径の種類を増やすことを解決すべき技術課題とするものである。
【課題を解決するための手段】
【０００９】
上記課題を解決する本発明のカップホルダは、容器が挿入される収納部を有するホルダ本体と、第１回動軸心回りに前記収納部内で回動可能となるように基端部が前記ホルダ本体に軸支され、第１支持部を先端側に有する第１サポート部材と、前記第１支持部が前記収納部内に所定量突出した基準位置まで、前記第１サポート部材を該収納部内に突出する方向に上方へ回動付勢する第１付勢部材と、前記第１回動軸心とは異なる位置に配置された第２回動軸心回りに前記収納部内で回動可能となるように基端部が前記ホルダ本体に軸支され、第２支持部を先端側に有する第２サポート部材と、前記第２支持部が前記収納部内に所定量突出した基準位置まで、前記第２サポート部材を該収納部内に突出する方向に上方へ回動付勢する第２付勢部材とを備え、少なくとも、小径容器、該小径容器の径よりも大きな径の中径容器及び該中径容器の径よりも大きな径の大径容器を保持可能なように構成されていることを特徴とするものである。
【００１０】
このカップホルダでは、第１回動軸心回りに回動可能とされ、前記基準位置にある第１サポート部材の第１支持部と、第１回動軸心とは異なる位置に配置された第２回動軸心回りに回動可能とされ、前記基準位置にた第２サポート部材の第２支持部と、収納部の内壁面とのいずれかにより、少なくとも小径、中径及び大径の３種類容器径の容器について、容器の側面上部を支持して、安定に保持することができる。
【００１１】
本発明のカップホルダの好適な態様において、前記小径容器を保持するときは、前記基準位置に在る前記第１サポート部材の前記第１支持部と、前記基準位置に在る前記第２サポート部材の前記第２支持部と、前記収納部の内壁面とで、該収納部に挿入された該小径容器の側面上部を支持し、前記中径容器を保持するときは、前記基準位置に在る前記第１サポート部材の前記第１支持部と、前記収納部の内壁面とで、該収納部に挿入された該中径容器の側面上部を支持するとともに、該収納部への該中径容器の挿入動作に伴って該中径容器で押圧されて前記基準位置から下方へ回動した状態に在る前記第２サポート部材で、該収納部に挿入された該中径容器の側面下部を支持し、かつ、前記大径容器を保持するときは、前記基準位置に在る前記第２サポート部材の前記第２支持部と、前記収納部の内壁面とで、該収納部に挿入された該大径容器の側面上部を支持するとともに、該収納部への該大径容器の挿入動作に伴って該大径容器で押圧されて前記基準位置から下方へ回動した状態に在る前記第１サポート部材で、該収納部に挿入された該大径容器の側面下部を支持するように構成されている。
【００１２】
このカップホルダでは、小径容器を保持するときは、基準位置に在る第１サポート部材の第１支持部と、基準位置に在る第２サポート部材の第２支持部と、収納部の内壁面とで、収納部に挿入された小径容器の側面上部を支持する。このため、小径容器を保持するときは、安定保持に有利な小径容器の側面上部を、第１支持部、第２支持部及び収納部の内壁面の３カ所で支持することができ、小径容器を安定に保持することができる。
【００１３】
また、中径容器を保持するときは、基準位置に在る第１サポート部材の第１支持部と、収納部の内壁面とで、中径容器の側面上部を支持するとともに、基準位置から下方へ回動した状態に在る第２サポート部材で、中径容器の側面下部を支持する。このため、中径容器を保持するときは、安定保持に有利な中径容器の側面上部を、第１支持部及び収納部の内壁面で支持することができ、中径容器を安定に保持することができる。
【００１４】
さらに、大径容器を保持するときは、基準位置に在る第２サポート部材の第２支持部と、収納部の内壁面とで、収納部に挿入された大径容器の側面上部を支持するとともに、基準位置から下方へ回動した状態に在る第１サポート部材で、大径容器の側面下部を支持する。このため、大径容器を保持するときは、安定保持に有利な大径容器の側面上部を、第２支持部及び収納部の内壁面で支持することができ、大径容器を安定に保持することができる。
【００１５】
したがって、このカップホルダによれば、小径、中径及び大径の３種類の容器径の容器について、基準位置に在る第１及び第２サポート部材のうちの、少なくとも一方のサポート部材の支持部と、収納部の内壁面とで、側面上部を支持して、安定に保持することが可能となる。
【００１６】
ここに、本発明のカップホルダにおいては、前述のとおり、中径容器を保持するときは、基準位置に在る第１サポート部材の第１支持部と収納部の内壁面とで中径容器の側面上部を支持し、また、大径容器を維持するときは、基準位置に在る第２サポート部材の第２支持部と収納部の内壁面とで大径容器の側面上部を支持するが、これら中径容器又は大径容器を保持するときは、収納部の内壁面の異なる２カ所で容器の側面上部を支持するように構成することが好ましい。こうすれば、中径容器を保持するときは、基準位置にある第１サポート部材の第１支持部及び収納部の内壁面の２カ所の合計３カ所で、中径容器の側面上部を支持することができ、また、大径容器を維持するときは、基準位置に在る第２サポート部材の第２支持部及び収納部の内壁面の２カ所の合計３カ所で、大径容器の側面上部を支持することができ、中径容器又は大径容器をより安定に保持することが可能となる。
【００１７】
本発明のカップホルダの好適な態様において、前記大径容器の径よりも大きな径の特大容器をさらに保持可能なカップホルダであって、前記特大容器を保持するときは、前記収納部の内壁面で、該収納部に挿入された該特大容器の側面上部を支持するとともに、該収納部への該特大容器の挿入動作に伴って該特大容器で押圧されて前記基準位置から下方へ回動した状態に在る、前記第１サポート部材及び前記第２サポート部材の両部材で、該収納部に挿入された該特大容器の側面下部を支持するように構成されている。
【００１８】
このカップホルダでは、特大容器を保持するときは、収納部の内壁面で、収納部に挿入された特大容器の側面上部を支持するとともに、基準位置から下方へ回動した状態に在る第１及び第２の両サポート部材で、特大容器の側面下部を支持する。このため、特大容器を保持するときは、安定保持に有利な特大容器の側面上部を、収納部の内壁面で支持することができ、特大容器を安定に保持することができる。したがって、このカップホルダによれば、小径、中径、大径及び特大の４種類の容器径の容器を、安定に保持することが可能となる。
【００１９】
本発明のカップホルダの好適な態様において、前記収納部に挿入された状態に在る前記特大容器の外周面上の一の仮想円を想定した場合において、前記第１回動軸心及び前記第２回動軸心はそれぞれが該仮想円の接線方向に沿って延びるように周方向に所定間隔をおいて配置されている。
【００２０】
本発明のカップホルダにおいて、第１サポート部材の第１回動軸心及び第２サポート部材の第２回動軸心の位置関係については、両者の位置が異なっていれば特に限定されない。例えば、同一の直線上に、第１回動軸心及び第２回動軸心が直列的に並んでいてもよい。しかし、第１回動軸心及び第２回動軸心が同一の直線上に所定間隔をおいて直列的に並んでいると、第１サポート部材の幅方向一端から第２サポート部材の幅方向他端までの合計長さを一辺長さとし、第１サポート部材又は第２サポート部材の長い方の長さを他辺長さとする長方形状分のスペース確保が必要となる。この点、第１回動軸心及び第２回動軸心が前記仮想円の接線方向に沿って延びるように周方向に所定間隔をおいて配置されている、このカップホルダによれば、前記長方形状の両角部におけるスペース確保が不要となり、したがって、第１サポート部材及び第２サポート部材を配設するために必要なスペースを削減することができ、カップホルダの小型化等を図る上で有利となる。
【００２１】
本発明のカップホルダの好適な態様において、前記第１支持部は、前記中径容器の側面形状に略対応した円弧状の第１支持内端面を有し、前記第２支持部は、前記大径容器の側面形状に略対応した円弧状の第２支持内端面を有している。
【００２２】
このカップホルダでは、中径容器を保持するときは、中径容器の側面形状に略対応した円弧状の第１支持内端面と、収納部の内壁面とで、中径容器の側面上部を確実に支持することができ、また、大径容器を保持するときは、大径容器の側面形状に略対応した円弧状の第２支持内端面と、収納部の内壁面とで、大径容器の側面上部を確実に支持することができる。このため、中径容器又は大径容器を保持するときは、第１又は第２支持内端面を中径容器又は大径容器の側面上部に略面接触状態で当接させて支持することができ、中径容器又は大径容器をより安定に保持することが可能となる。
【００２３】
本発明のカップホルダの好適な態様において、前記ホルダ本体は隣接する第１及び第２の前記収納部を有し、両該収納部のうちの少なくとも一方に、前記第１付勢部材で回動付勢された前記第１サポート部材と、前記第２付勢部材で回動付勢された前記第２サポート部材とが設けられている。
【００２４】
このカップホルダでは、第１及び第２の２つの収納部を有し、そのうちの少なくとも一方に前記第１サポート部材と前記第２サポート部材とが設けられていることから、小径容器、中径容器及び大径容器（場合によっては、並びに特大容器）から選ばれる同一又は異なる２種の容器を同時に保持したり、あるいは小径容器、中径容器及び大径容器（場合によっては、並びに特大容器）から選ばれる１種の容器と他の容器とを同時に保持したりすることが可能となる。
【００２５】
本発明のカップホルダの好適な態様において、前記ホルダ本体は隣接する第１及び第２の前記収納部を有し、前記小径容器よりも小さな径の特小容器をさらに保持可能なカップホルダであって、前記第１の収納部に、前記第１付勢部材で回動付勢された前記第１サポート部材と、前記第２付勢部材で回動付勢された前記第２サポート部材とが設けられ、前記第２の収納部に、第３回動軸心回りに該第２の収納部内で回動可能となるように基端部が前記ホルダ本体に軸支され、第３支持部を先端側に有する第３サポート部材と、前記第３支持部が前記第２の収納部内に所定量突出した基準位置まで、前記第３サポート部材を該第２の収納部内に突出する方向に上方へ回動付勢する第３付勢部材とが設けられ、前記特小容器を保持するときは、前記基準位置に在る前記第３サポート部材の前記第３支持部と、前記第２の収納部の内壁面とで、該第２の収納部に挿入された該特小容器の側面上部を支持するように構成されている。
【００２６】
このカップホルダでは、第２の収納部で特小容器を保持するときは、基準位置に在る第３サポート部材の第３支持部と、第２の収納部の内壁面とで、第２の収納部に挿入された特小容器の側面上部を支持する。このため、特小容器を保持するときは、安定保持に有利な特小容器の側面上部を、第３支持部及び収納部の内壁面で支持することができ、特小容器を安定に保持することができる。
【００２７】
したがって、このカップホルダによれば、第１の収納部において、小径、中径及び大径の３種類の容器径の容器について、基準位置に在る第１及び第２サポート部材のうちの、少なくとも一方のサポート部材の支持部と、第１の収納部の内壁面とで、側面上部を支持して、安定に保持することができるとともに、第２の収納部において、特小の容器径の容器についても、基準位置にある第３サポート部材の第３支持部と、第２の収納部の内壁面とで、特小容器の側面上部を支持して、安定に保持することができる。
【００２８】
また、小径容器、中径容器及び大径容器（場合によっては、並びに特大容器）から選ばれる１種の容器と、特小容器とを同時に保持することが可能となる。
【００２９】
ここに、前述のとおり、第２の収納部で特小容器を保持するときは、基準位置に在る第３サポート部材の第３支持部と第２の収納部の内壁面とで特小容器の側面上部を支持するが、この特小容器を保持するときは、第２の収納部の内壁面の異なる２カ所で特小容器の側面上部を支持するように構成することが好ましい。こうすれば、特小容器を保持するときは、基準位置にある第３サポート部材の第３支持部及び第２の収納部の内壁面の２カ所の合計３カ所で、特小容器の側面上部を支持することができ、特小容器をより安定に保持することが可能となる。
【００３０】
本発明のカップホルダの好適な態様において、前記大径容器の径よりも大きな径の特大容器をさらに保持可能なカップホルダであって、前記特大容器を保持するときは、前記第２の収納部の内壁面で、該第２の収納部に挿入された該特大容器の側面上部を支持するとともに、該第２の収納部への該特大容器の挿入動作に伴って該特大容器で押圧されて前記基準位置から下方へ回動した状態に在る前記第３サポート部材で、該第２の収納部に挿入された該特大容器の側面下部を支持するように構成されている。
【００３１】
このカップホルダでは、第２の収納部で特大容器を保持するときは、第２の収納部の内壁面で、第２の収納部に挿入された特大容器の側面上部を支持するとともに、基準位置から下方へ回動した状態に在る第３サポート部材で、特大容器の側面下部を支持する。このため、第２の収納部で特大容器を保持するときは、安定保持に有利な特大容器の側面上部を、収納部の内壁面で支持することができ、特大容器を安定に保持することができる。したがって、このカップホルダによれば、第２の収納部で、特小及び特大の２種類の容器径の容器を、安定に保持することが可能となる。
【００３２】
本発明のカップホルダの好適な態様において、前記第３支持部は、前記特小容器の側面形状に略対応した円弧状の第３支持内端面を有している。
【００３３】
このカップホルダでは、第２の収納部で特小容器を保持するときは、特小容器の側面形状に略対応した円弧状の第３支持内端面と、第２の収納部の内壁面とで、特小容器の側面上部を確実に支持することができる。このため、第２の収納部で特小容器を保持するときは、第３支持内端面を特小容器の側面上部に略面接触状態で当接させて支持することができ、特小容器をより安定に保持することが可能となる。
【発明の効果】
【００３４】
よって、本発明のカップホルダによれば、基準位置にあるサポート部材で側面上部を支持することのできる容器径の種類を３種類以上に増やすことができる。
【発明を実施するための最良の形態】
【００３５】
以下、本発明の実施形態に係るカップホルダについて、図面を参照しつつ具体的に説明する。
【００３６】
（実施形態１）
本実施形態のカップホルダは、自動車のコンソールボックスに保持されて用いられる。
【００３７】
図１はこのカップホルダの全体構成を示す斜視図であり、図２はこのカップホルダの分解斜視図である。
【００３８】
このカップホルダは、図１に示されるように、第１収納部１及び第２収納部２の２つの収納部を有するホルダ本体３を備えている。ホルダ本体３は、断面長方形の箱体４と、この箱体４内に収容されたストッパ部材５とから構成されている。箱体４の長手方向における中央には、一対のリブ６が形成されている（図２参照）。
【００３９】
ストッパ部材５は、図２に示されるように、一対の側壁部７、８と、各側壁部７、８の中央で両側壁部７、８同士を連結する中央連結部９とを有している。各側壁部７、８の裏面には、前記リブ６と係合可能な係合凹部１０がそれぞれ形成されている。そして、箱体４内に収容されたストッパ部材５の各係合凹部１０に箱体４の各リブ６がそれぞれ係合することで、箱体４とストッパ部材５とが結合されており、この結合状態で、ストッパ部材５の第１収納部１側の内面（５１）及び第２収納部２側の内面（５２）と、箱体４の第１対向内面（箱体４の短手方向において対向する内面Ｐ、Ｑ）と、箱体４の第２対向内面（箱体４の長手方向において対向する内面Ｒ、Ｒ）とにより、第１収納部１の内壁面５１、Ｐ、ＱＲと、第２収納部２の内壁面５２、Ｐ、Ｑ、Ｒとが構成されている（図３参照）。また、中央連結部９には欠切貫通部１１が形成されており、この欠切貫通部１１により、第１収納部１と第２収納部２とを連通する連通空間部１２が形成されている（図１参照）。
【００４０】
そして、このカップホルダは、２つの第１サポート部材１３、１４と、各第１サポート部材１３、１４をそれぞれ回動付勢する２つの第１付勢部材（第１スプリング）１５、１６と、２つの第２サポート部材１７、１８と、各第２サポート部材１７、１８をそれぞれ回動付勢する２つの第２付勢部材１９、２０とを備えている。なお、第１サポート部材１３及びこの第１サポート部材１３を回動付勢する第１付勢部材１５と、第２サポート部材１７及びこの第２サポート部材１７を回動付勢する第２付勢部材１９とが、第１収納部１（図１の右下側の収納部）に設けられ、第１サポート部材１４及びこの第１サポート部材１４を回動付勢する第１付勢部材１６と、第２サポート部材１８及びこの第２サポート部材１８を回動付勢する第２付勢部材２０とが、第２収納部２（図１の左上側の収納部）に設けられている。
【００４１】
ここに、本実施形態のカップホルダは、長手方向における中心線に対して左右対称形状とされており、図１の右下部分と左上部分とで同一の構成を有している。このため、以下の説明においては、第１収納部１に相当する図１の右下側部分の構成についてのみ説明し、第２収納部２に相当する図１の左上側部分の構成についての説明は省略する。
【００４２】
ストッパ部材５は、図２に示されるように、一方の側壁部７と中央連結部９との第１収納部１側の境界付近に設けられた、第１サポート部材１３を収容するための第１収容凹部２１と、他方の側壁部８と中央連結部９との第１収納部１側の境界付近に設けられた、第２サポート部材１７を収容するための第２収容凹部２２とを有している。第１収容凹部２１の対向内側面には第１枢支孔２３がそれぞれ形成され、第２収容凹部２２の対向内側面にも第２枢支孔２４がそれぞれ形成されている。
【００４３】
第１サポート部材１３の基端部の両側面には、一対の第１突起軸部２５が設けられている。また、第１サポート部材１３の先端側の第１支持部２６は、後述する中径容器Ｍの側面形状に略対応した円弧状の第１支持内端面２７を有している。
【００４４】
そして、第１サポート部材１３の第１突起軸部２５が、第１付勢部材１５を介装させつつ、第１収容凹部２１の第１枢支孔２３に係合することで、第１サポート部材１３は、第１回動軸心Ｃ１（図３参照）回りに回動可能となるように基端部がホルダ本体３のストッパ部材５に軸支されている。なお、第１サポート部材１３は、図示しない係止手段により、略水平状態より上方への回動が規制され、また、第１サポート部材１３の裏面が第１収容凹部２１の表面に当接することにより、下方への回動が規制されている。こうして、第１サポート部材１３は、第１付勢部材１５により、第１支持部２６が第１収納部１内に所定量突出した基準位置（第１サポート部材１３が略水平に維持された状態）まで、第１収納部１内に突出する方向に上方へ回動付勢されている。
【００４５】
同様に、第２サポート部材１７の基端部の両側面には、一対の第２突起軸部２８が設けられている。また、第２サポート部材１７の先端側の第２支持部２９は、後述する大径容器Ｌの側面形状に略対応した円弧状の第２支持内端面３０を有している。
【００４６】
そして、第２サポート部材１７の第２突起軸部２８が、第２付勢部材１９を介装させつつ、第２収容凹部２２の第２枢支孔２４に係合することで、第２サポート部材１７は、第２回動軸心Ｃ２（図３参照）回りに回動可能となるように基端部がホルダ本体３のストッパ部材５に軸支されている。なお、第２サポート部材１７は、図示しない係止手段により、略水平状態より上方への回動が規制され、また、第２サポート部材１７の裏面が第２収容凹部２２の表面に当接することにより、下方への回動が規制されている。こうして、第２サポート部材１７は、第２付勢部材１９により、第２支持部２９が第１収納部１内に所定量突出した基準位置（第２サポート部材１７が略水平に維持された状態）まで、第１収納部１内に突出する方向に上方へ回動付勢されている。
【００４７】
ここに、本実施形態のカップホルダでは、図３に示されるように、小径容器Ｓ、小径容器Ｓの径よりも大きな径の中径容器Ｍ、中径容器Ｍよりも大きな径の大径容器Ｌ、及び大径容器Ｌの径よりも大きな径の特大容器ＸＬという、４種類の容器径の容器について、各容器の側面上部を支持することで、ジャストフィットで安定に保持することができるように、各構成部品の寸法や配置が調整されている。
【００４８】
すなわち、第１サポート部材１３は、前記基準位置に在る状態で、（ｉ）第１収納部１の所定位置ａ（図３に点線で示す小円ａ）に挿入された小径容器Ｓの側面上部に、第１支持部２６の一端２６ａ（円弧状の第１支持内端面２７の一端２７ａ）が当接し、かつ、（ｉｉ）第１収納部１の所定位置ｂ（図３に点線で示す中円ｂ）に挿入された中径容器Ｍの側面上部に、第１支持部２６の円弧状の第１支持内端面２７の略全体が面接触状態で当接しうるように、寸法や配置が調整されている。
【００４９】
また、第２サポート部材１７は、前記基準位置に在る状態で、（ｉ）第１収納部１の前記所定位置ａに挿入された小径容器Ｓの側面上部に、第２支持部２９の他端２９ｂ（円弧状の第２支持内端面３０の他端３０ｂ）が当接し、かつ、（ｉｉ）第１収納部１の所定位置ｃに挿入された大径容器Ｌの側面上部に、第２支持部２９の円弧状の第２支持内端面３０の略全体が面接触状態で当接しうるように、第１サポート部材１３よりも短い長さで、寸法や配置が調整されている。
【００５０】
さらに、ホルダ本体３は、（ｉ）第１収納部１の前記所定位置ａに挿入され、前記基準位置に在る第１サポート部材１３の第１支持部２６の一端２６ａ（円弧状の第１支持内端面２７の一端２７ａ）と、前記基準位置に在る第２サポート部材１７の第２支持部２９の他端２９ｂ（円弧状の第２支持内端面３０の他端３０ｂ）とが当接した小径容器Ｓの側面上部に、第１収納部１の内壁面Ｒ１（図３のＲ１矢印で示す部位）が当接し、（ｉｉ）第１収納部１の前記所定位置ｂに挿入され、前記基準位置に在る第１サポート部材１３の第１支持部２６の第１支持内端面２７の略全体が面接触状態で当接した中径容器Ｍの側面上部に、第１収納部１の内壁面Ｑ１（図３のＱ１矢印で示す部位）及びＲ２（図３のＲ２矢印で示す部位）が当接し、（ｉｉｉ）第１収納部１の前記所定位置ｃに挿入され、前記基準位置に在る第２サポート部材１７の第２支持部２９の第２支持内端面３０の略全体が面接触状態で当接した大径容器Ｌの側面上部に、第１収納部１の内壁面Ｐ１（図３のＰ１矢印で示す部位）及びＲ３（図３のＲ３矢印で示す部位）が当接し、かつ、（ｉＶ）第１収納部１に挿入された特大容器ＸＬの側面上部に、第１収納部１の内壁面５１、Ｐ２（図３のＰ２矢印で示す部位）及びＱ２（図３のＱ２矢印で示す部位）が当接しうるように、箱体４及びストッパ部材５の寸法や配置が調整されている。
【００５１】
なお、本実施形態では、特大容器ＸＬを保持するときは、第１収納部１内への特大容器ＸＬの挿入に伴って特大容器ＸＬで押圧されて前記基準位置から下方へ回動した第１サポート部材１３及び第２サポート部材１７は、それぞれ第１収容凹部２１及び第２収容凹部２２内にほぼ完全に収容された状態となる。
【００５２】
また、前記基準位置に在る第１サポート部材１３及び前記基準位置に在る第２サポート部材１７において、第１収納部１の内壁面Ｒからの距離は、第１支持部２６の一端２６ａ（円弧状の第１支持内端面３０の一端２７ａ）が最も近く、第２支持部２９の他端２９ｂ（円弧状の第２支持内端面３０の他端３０ｂ）が２番目に近く、第１支持部２６の他端２６ｂ（円弧状の第１支持内端面２７の他端２７ｂ）が３番目に近く、第２支持部２９の一端２９ａ（円弧状の第２支持内端面３０の一端３０ａ）が４番目に近く（最も遠く）なるようにされている。
【００５３】
さらに、本実施形態のカップホルダでは、第１収納部１に挿入された状態に在る特大容器ＸＬの外周面上の一の仮想円を想定した場合において、第１サポート部材１３の前記第１回動軸心Ｃ１と、第２サポート部材１７の前記第２回動軸心Ｃ２とは、それぞれが該仮想円の接線方向に沿って延びるように周方向に所定間隔をおいて配置されている。より具体的には、前記仮想円を内接円とする正方形を想定した場合において、該正方形の隣接する２隅付近に、第１回動軸心Ｃ１と第２回動軸心Ｃ２とが該仮想円の接線方向に沿って延びるように配置されている。そして、こうして配置された第１サポート部材１３と第２サポート部材１７との間には、前記連通空間部１２内に所定の隙間Ｋ（図３参照）が形成されている。
【００５４】
したがって、上記構成を有する本実施形態のカップホルダでは、小径容器Ｓを保持するときは、前記基準位置に在る第１サポート部材１３の第１支持部２６の一端２６ａ（円弧状の第１支持内端面２７の一端２７ａ）と、前記基準位置に在る第２サポート部材１７の第２支持部２９の他端２９ｂ（円弧状の第２支持内端面３０の他端３０ｂ）と、第１収納部１の内壁面Ｒ１との合計３カ所で、第１収納部１の前記所定位置ａに挿入された小径容器Ｓの側面上部を支持することができ、小径容器Ｓを安定に保持することが可能となる。
【００５５】
また、中径容器Ｍを保持するときは、前記基準位置に在る第１サポート部材１３の第１支持部２６の円弧状第１支持内端面２７の全体と、第１収納部１の内壁面Ｑ１と、第１収納部１の内壁面Ｒ２との合計３カ所で、第１収納部１の前記所定位置ｂに挿入された中径容器Ｍの側面上部を支持することができ、中径容器Ｍを安定に保持することが可能となる。
【００５６】
さらに、大径容器Ｌを保持するときは、前記基準位置に在る第２サポート部材１７の第２支持部２９の円弧状第２支持内端面３０の全体と、第１収納部１の内壁面Ｐ１と、第１収納部１の内壁面Ｒ３との合計３カ所で、第１収納部１の前記所定位置ｃに挿入された大径容器Ｌの側面上部を支持することができ、大径容器Ｌを安定に保持することが可能となる。
【００５７】
したがって、このカップホルダによれば、小径容器Ｓ、中径容器Ｍ及び大径容器Ｌの３種類の容器径の容器について、基準位置に在る第１及び第２サポート部材１３及び１７のうちの、少なくとも一方のサポート部材の支持部と、第１収納部１の内壁面とにより、周方向に間隔をおいた異なる３カ所で、側面上部を支持して、安定に保持することが可能となる。
【００５８】
加えて、特大容器ＸＬを保持するときは、第１収納部１の内壁面５１、Ｐ２及びＱ２で、第１収納部１に挿入された特大容器ＸＬの側面上部を支持するとともに、基準位置から下方へ回動した状態に在る第１サポート部材１３及び第２サポート部材１７の両部材で、特大容器ＸＬの側面下部を支持することができ、特大容器ＸＬを安定に保持することが可能となる。
【００５９】
よって、このカップホルダによれば、小径、中径、大径及び特大の４種類の容器径の容器を、安定に保持することが可能となる。
【００６０】
また、本実施形態のカップホルダでは、第１サポート部材１３の前記第１回動軸心Ｃ１と、第２サポート部材１７の前記第２回動軸心Ｃ２とは、それぞれが前記仮想円の接線方向に沿って延びるように周方向に所定間隔をおいて配置されている。このため、例えば第１回動軸心Ｃ１と第２回動軸心Ｃ２とが同一直線上に直列的に配置されている場合と比較して、第１サポート部材１３及び第２サポート部材１７を配設するために必要なスペースを削減することができ、カップホルダの小型化等を図る上で有利となる。
【００６１】
さらに、本実施形態のカップホルダでは、第１サポート部材１３と第２サポート部材１７との間には、前記連通空間部１２内に所定の隙間Ｋが形成されている。このため、マグカップ等の取手の付いた容器を第１収納部１内に挿入する場合に、この取手を前記隙間Ｋ内に挿入させることができる。したがって、マグカップ等の取手の付いた容器の保持が可能となる。
【００６２】
加えて、本実施形態のカップホルダでは、第１サポート部材１３の第１支持部２６は、中径容器Ｍの側面形状に略対応した円弧状の第１支持内端面２７を有し、第２サポート部材１７の第２支持部２９は、大径容器Ｌの側面形状に略対応した円弧状の第２支持内端面３０を有している。このため、中径容器Ｍ又は大径容器Ｌを保持するときは、第１又は第２支持内端面２７又は３０を中径容器Ｍ又は大径容器Ｌの側面上部に略面接触状態で当接させて支持することができ、中径容器Ｍ又は大径容器Ｌをより安定に保持することが可能となる。
【００６３】
また、本実施形態のカップホルダでは、ホルダ本体３が、隣接する第１収納部１及び第２収納部２を有し、第２収納部２にも、第１付勢部材１６で回動付勢された第１サポート部材１４と、第２付勢部材２０で回動付勢された第２サポート部材１８とが設けられている。このため、小径容器Ｓ、中径容器Ｍ、大径容器Ｌ及び特大容器ＸＬから選ばれる同一又は異なる２種の容器を同時に保持することができる。
【００６４】
（実施形態２）
図４及び図５に示す本実施形態のカップホルダは、小径容器Ｓよりも小さな径の特小容器ＸＳをさらに保持可能なカップホルダである。
【００６５】
すなわち、このカップホルダでは、第１収納部１に、前記第１付勢部材１５で回動付勢された前記第１サポート部材１３と、前記第２付勢部材１９で回動付勢された前記第２サポート部材１７とが設けられるとともに、第２収納部２に、図示しない第３付勢部材（第３スプリング）に回動付勢された第３サポート部材３１が設けられている。
【００６６】
ストッパ部材５は、箱体４の長手方向長さと略同一の長手方向長さを有する一対の側壁部３６、３７と、両側壁部３６、３７同士を長手方向における中央で連結する中央連結部９と、両側壁部３６、３７同士を第２収納部２側の端部で連結る端部連結部３３とを有している。そして、第２収納部２側のストッパ部材５の内面は略円弧状の内面５３とされている。
【００６７】
このため、本実施形態のカップホルダでは、第１収納部１側においては、ストッパ部材５の第１収納部１側の内面（５１）と、箱体４の第２対向内面（箱体４の長手方向において対向する内面（Ｒ）とにより、第１収納部１の内壁面５１、Ｒが構成され、また、第２収納部２側においては、ストッパ部材５の第２収納部１側の内面（５３）により、第２収納部２の内壁面５３が構成されている。
【００６８】
また、ストッパ部材５は、側壁部３７と中央連結部９との第２収納部２側の境界付近に設けられた、第３サポート部材３１を収容するための第３収容凹部３２を有している。この第３収容凹部３２の対向内側面には第３枢支孔（図示せず）がそれぞれ形成されている。
【００６９】
第３サポート部材３１の基端部の両側面には、一対の第３突起軸部（図示せず）が設けられている。また、第３サポート部材３１の先端側の第３支持部３４は、特小容器ＸＳの側面形状に略対応した円弧状の第３支持内端面３５を有している。
【００７０】
そして、第３サポート部材３１の第３突起軸部が、第３付勢部材を介装させつつ、第３収容凹部３２の第３枢支孔に係合することで、第３サポート部材３１は、第３回動軸心Ｃ３回りに回動可能となるように基端部がホルダ本体３のストッパ部材５に軸支されている。なお、第３サポート部材３１は、図示しない係止手段により、略水平状態より上方への回動が規制され、また、第３サポート部材３１の裏面が第３収容凹部３２の表面に当接することにより、下方への回動が規制されている。こうして、第３サポート部材３１は、第３付勢部材により、第３支持部３４が第２収納部２内に所定量突出した基準位置（第３サポート部材３１が略水平に維持された状態）まで、第２収納部２内に突出する方向に上方へ回動付勢されている。
【００７１】
なお、第２収納部２で特大容器ＸＬを保持するときは、第２収納部２内への特大容器ＸＬの挿入に伴って特大容器ＸＬで押圧されて前記基準位置から下方へ回動した第３サポート部材３１は、第３収容凹部３２内にほぼ完全に収容された状態となる。
【００７２】
ここに、本実施形態のカップホルダでは、図５に示されるように、第２収納部２で、特小容器ＸＳ及び特大容器ＸＬという、２種類の容器径の容器について、各容器の側面上部を支持することで、ジャストフィットで安定に保持することができるように、各構成部品の寸法や配置が調整されている。
【００７３】
すなわち、第３サポート部材３１は、前記基準位置に在る状態で、第２収納部２の所定位置ｄ（図５に点線で示す極小円ｄ）に挿入された特小容器ＸＳの側面上部に、第３支持部３４の円弧状の第３支持内端面３５の略全体が面接触状態で当接しうるように、寸法や配置が調整されている。
【００７４】
また、ホルダ本体３は、（ｉ）第２収納部２の前記所定位置ｄに挿入され、前記基準位置に在る第３サポート部材３１の第３支持部３４の第３支持内端面３５の略全体が面接触状態で当接した特小容器ＸＳの側面上部に、第２収納部２の内壁面Ｔ１（図５のＴ１矢印で示す部位）が当接し、かつ、（ｉｉ）第２収納部２に挿入された特大容器ＸＬの側面上部に、第２収納部２の内壁面５３（図５のＴ２矢印で示す部位から、Ｔ１矢印で示す部位を経て、Ｔ３矢印で示す部位に至るまでの範囲）が当接しうるように、箱体４及びストッパ部材５の寸法や配置が調整されている。
【００７５】
したがって、本実施形態のカップホルダでは、第２収納部２で特小容器ＸＳを保持するときは、前記基準位置に在る第３サポート部材３１の第３支持部３４の円弧状第３支持内端面３５の全体と、第２収納部２の内壁面Ｔ１とで、第２収納部２の前記所定位置ｄに挿入された特小容器ＸＳの側面上部を支持することができ、特小容器ＸＳを安定に保持することが可能となる。
【００７６】
また、第２収納部２で特大容器ＸＬを保持するときは、第２収納部２の内壁面５３で、第２収納部２に挿入された特大容器ＸＬの側面上部を支持するとともに、基準位置から下方へ回動した状態に在る第３サポート部材３１で、特大容器ＸＬの側面下部を支持することができ、特大容器ＸＬを安定に保持することが可能となる。
【００７７】
よって、このカップホルダによれば、第１収納部１で、小径容器Ｓ、中径容器Ｍ、大径容器Ｌ及び特大容器ＸＬから選ばれる１種の容器を安定に保持することができるとともに、それと同時に、第２収納部２で、特小容器ＸＳ及び特大容器ＸＬから選ばれる１種の容器を安定に保持することができる。
【００７８】
その他の構成及び作用効果は前記実施形態１と同様である。
【００７９】
なお、前述の実施形態では、箱体４とストッパ部材５との２部材によりホルダ本体３を構成する例について説明したが、ホルダ本体の構成はこれに限られず、例えば、箱体４とストッパ部材５とが一体に形成されてなるホルダ本体としてもよい。
【図面の簡単な説明】
【００８０】
【図１】本発明の実施形態１に係るカップホルダの全体構成を示す斜視図である。
【図２】本発明の実施形態１に係るカップホルダの分解斜視図である。
【図３】本発明の実施形態１に係るカップホルダの作用を説明する図である。
【図４】本発明の実施形態２に係るカップホルダの全体構成を示す斜視図である。
【図５】本発明の実施形態２に係るカップホルダの作用を説明する図である。
【符号の説明】
【００８１】
１…第１収納部                      ２…第２収納部
３…ホルダ本体                      ４…箱体
５…ストッパ部材            １３、１４…第１サポート部材
１５、１６…第１付勢部材        １７、１８…第２サポート部材
１９、２０…第２付勢部材              ２６…第１支持部
２７…第１支持内端面                ２９…第２支持部
３０…第２支持内端面                ３１…第３サポート部材
３４…第３支持部                    ３５…第３支持内端面
Ｓ…小径容器                        Ｍ…中径容器
Ｌ…大径容器                      ＸＬ…特大容器
ＸＳ…特小容器
【図１】
2007145179.tif 000003
【図２】
2007145179.tif 000004
【図３】
2007145179.tif 000005
【図４】
2007145179.tif 000006
【図５】
2007145179.tif 000007